(57)【要約】【課題】危険旗を取り付ける取付時間の短縮と、旗の表示部方向の変更を容易とした危険旗の取付構造を提供する。【解決手段】この危険旗５０は、危険内容（危険）を表示した旗部１と、旗部１を支持するポール（支持部材）２と、ポール２を送電線鉄塔５に固定する固定ナット（固定部材）３と、を備え、ナット３を送電線鉄塔５に既設されたボルト余長部（詳細は後述する）３４と螺合可能なように構成し、固定ナット３の先端にポール２を回転可能に取り付けた。【選択図】図１
2010066696.tif 000002
【特許請求の範囲】
【請求項１】
送電線鉄塔上の危険区域、又は／及び、危険箇所を表示する危険旗であって、
危険内容を表示した旗部と、該旗部を支持する支持部材と、該支持部材を前記送電線鉄塔に固定する固定部材と、を備え、
前記固定部材を前記送電線鉄塔に既設されたボルト余長部と螺合可能なナットにより構成し、該ナットに対して前記支持部材を回転可能に取り付けたことを特徴とする危険旗。
【請求項２】
前記支持部材の一部、又は全部を屈曲、或いは湾曲自在な構成としたことを特徴とする請求項１に記載の危険旗。
【請求項３】
前記支持部材の一部に前記旗部の屈曲角度、或いは湾曲状態を任意に変更可能な角度変更手段を備えたことを特徴とする請求項１又は２に記載の危険旗。
【請求項４】
前記旗部に該旗部の一端を狭持する棒状部材を有し、前記支持部材に前記棒状部材を挿抜可能とした溝部を備えたことを特徴とする請求項１乃至３の何れか一項に記載の危険旗。
【請求項５】
前記支持部材に前記旗部を巻取り自在とした収納部を備えたことを特徴とする請求項１乃至３の何れか一項に記載の危険旗。
【発明の詳細な説明】
【技術分野】
【０００１】
本発明は、危険旗に関し、さらに詳しくは、送電線鉄塔上での作業の安全性を確保するために、最適な取付位置に確実に、且つ迅速に取り付け可能な危険旗の構造技術に関するものである。
【背景技術】
【０００２】
電力会社等では、送電線の修理、或いはメンテナンスのために、作業員が鉄塔の高所に登って作業を行なう。作業内容としては、例えば、鉄塔の防錆のための塗装作業や、落雷による送電線の断線修理、あるいは、碍子の清掃、交換等がある。このとき、送電線が２回線ある場合、作業を行なう側の回線を停電させて作業員の安全を確保すると共に、活きている回線側に誤って行かないように、作業員側から見える方向のみ表示した危険旗を鉄塔の適所に立設して作業の安全に万全を期している。
このような高所安全の確保のための従来技術として、特許文献１には、一部分の回線を停電して行なう停電工事で、作業を安全に行なうために活線側アーム吊りに取り付けることが義務付けられている赤旗付き隔離棒について開示されている。
【特許文献１】実公平８−３１２６号公報
【発明の開示】
【発明が解決しようとする課題】
【０００３】
しかしながら、従来の危険旗を立設する方法は、旗を取り付けた棒をゴムにより鉄塔に巻きつけて固定するため、長期間の使用によりゴムが劣化して使用中に切断するといった虞がある。また、鉄塔を塗装する場合は、旗を立設した場所は塗装できないため、一旦、旗を移動しなければならず、作業に手間がかかるといった問題がある。
また、特許文献１に開示されている従来技術は、危険旗の付いた隔離棒をアーム吊りに金具で取り付けるため、危険旗の向きを変えるときは、再度、隔離棒を取り外して向きを変えなければならず、作業時間が多く掛かるといった問題がある。
本発明は、かかる課題に鑑みてなされたものであり、旗を支持する支持棒の固定部に、鉄塔のボルトに螺合するナットを設け、そのナットをボルト余長部に螺合させて固定すると共に、支持棒を屈曲自在とすることにより、危険旗を取り付ける取付時間の短縮と、旗の表示部方向の変更を容易とした危険旗を提供することを目的とする。
【課題を解決するための手段】
【０００４】
本発明はかかる課題を解決するために、請求項１は、送電線鉄塔上の危険区域、又は／及び、危険箇所を表示する危険旗であって、危険内容を表示した旗部と、該旗部を支持する支持部材と、該支持部材を前記送電線鉄塔に固定する固定部材と、を備え、前記固定部材を前記送電線鉄塔に既設されたボルト余長部と螺合可能なナットにより構成し、該ナットに対して前記支持部材を回転可能に取り付けたことを特徴とする。
鉄塔を組み立てる際に、各部材同士を締結するボルトとナットが既に存在する。そして、ボルトのネジ部はナットを締結した後に、ナット頭部から１０〜２０ミリ余分に出るように長さが設定されている。この部分をボルトの余長部と呼ぶ。本発明の最も大きな特徴は、旗部を取り付けた支持部材をナットの先端に回転自在に取り付け、このナットを余長部にネジ回して固定する点である。これにより、新たに固定するためのボルトを設ける必要がなく、旗を簡単に、且つ確実に鉄塔に固定することができる。
請求項２は、前記支持部材の一部、又は全部を屈曲、或いは湾曲自在な構成としたことを特徴とする。
旗の表示内容は作業員に良く視認できる位置が好ましい。つまり、支持部材を固定する位置が常に最適な位置とは限らないので、旗の位置を固定した後に動かせれば、より作業性が向上する。そこで本発明では、支持部材の一部、又は全部を屈曲自在な構成とするものである。これにより、旗の向きを作業員が見やすい角度に変更させることができる。
【０００５】
請求項３は、前記支持部材の一部に前記旗部の屈曲角度、或いは湾曲状態を任意に変更可能な角度変更手段を備えたことを特徴とする。
支持部材が屈曲自在な構成でない場合、支持部材を固定する位置により旗が作業員から見づらい向きになる場合もある。そこで本発明では、旗部の屈曲角度を任意に変更できる角度変更手段を備える。これにより、作業員から旗の表示内容を見やすいように調整することができる。
請求項４は、前記旗部に該旗部の一端を狭持する棒状部材を有し、前記支持部材に前記棒状部材を挿抜可能とした溝部を備えたことを特徴とする。
旗に表示した内容は、作業員から見える方向のみ表示するのが原則である。従って、従来は、旗の表裏の向きが異なるように内容を表示した２種類の旗を用意していた。そこで本発明では、１種類の旗を用意し、その旗に一端を狭持する棒状部材を備え、その棒状部材を挿抜可能とした溝部を支持部材に備える。これにより、１種類の旗を挿入方向を変えるだけで、旗の表示内容の向きを反転させることができる。
請求項５は、前記支持部材に前記旗部を巻取り自在とした収納部を備えたことを特徴とする。
従来から、作業が終了した後は、支持部材を外して旗を支持部材に巻き取って収納していた。しかし、そのとき旗はむき出しのままであるので、汚れたり破損する虞がある。そこで本発明では、支持部材に旗部を巻取り自在とした収納部を備える。これにより、作業終了後に旗を汚したり、破損することを防止することができる。
【発明の効果】
【０００６】
本発明によれば、旗部を取り付けた支持部材をナットの先端に回転自在に取り付け、このナットを余長部にネジ回して固定するので、新たに固定するためのボルトを設ける必要がなく、旗を簡単に、且つ確実に鉄塔に固定することができる。
また、支持部材の一部、又は全部を屈曲自在な構成とするので、旗の向きを作業員が見やすい角度に変更させることができる。
また、旗部の屈曲角度を任意に変更できる角度変更手段を備えるので、作業員から旗の表示内容を見やすいように調整することができる。
また、１種類の旗を用意し、その旗に一端を狭持する棒状部材を備え、その棒状部材を挿抜可能とした溝部を支持部材に備えるので、１種類の旗を挿入方向を変えるだけで、旗の表示内容の向きを反転させることができる。
また、支持部材に旗部を巻取り自在とした収納部を備えるので、作業終了後に旗を汚したり、破損することを防止することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明に係る危険旗の取付構造を説明する図である。（ａ）は、第１の実施形態に係る危険旗の取付状態を示す図であり、この危険旗５０は、危険内容（危険）を表示した旗部１と、旗部１を支持するポール（支持部材）２と、ポール２を送電線鉄塔５に固定する固定ナット（固定部材）３と、を備え、ナット３を送電線鉄塔５に既設されたボルト余長部（詳細は後述する）３４と螺合可能なように構成し、固定ナット３の先端にポール２を回転可能に取り付けた。即ち、鉄塔を組み立てる際に、各鉄塔同士を締結するボルト６とナット４が既に存在する。そして、ボルト６のネジ部はナット４を締結した後に、ナット頭部から１０〜２０ミリ余分に出るように長さが設定されている。この部分をボルトの余長部３４と呼ぶ。本発明の最も大きな特徴は、旗部１を取り付けたポール２を固定ナット３の先端に回転自在に取り付け、この固定ナット３を余長部３４にネジ回して固定する点である。これにより、新たに固定するためのボルトを設ける必要がなく、旗部１を簡単に、且つ確実に鉄塔５に固定することができる。
図１（ｂ）は、第２の実施形態に係る危険旗の取付状態を示す図であり、同じ構成要素には図１（ａ）と同じ参照番号を付して説明する。この危険旗５１は、ポール２の一部に旗部１の屈曲角度を任意に変更可能な、例えば、ボールジョイント（角度変更手段）７を備えた。即ち、ポール２が屈曲自在な構成でない場合、ポール２を固定する位置により旗が作業員から見づらい向きになる場合もある。そこで本実施形態では、旗部１の屈曲角度を任意に変更できるボールジョイント７を備える。これにより、ポール２ａとポール２ｂがボールジョイント７の部分で屈曲自在となり、作業員から旗の表示内容を見やすいように調整することができる。
【０００８】
図１（ｃ）は、第３の実施形態に係る危険旗の取付状態を示す図であり、同じ構成要素には図１（ａ）と同じ参照番号を付して説明する。この危険旗５２は、ポール２の一部２ｃを屈曲自在な構成とした。即ち、旗の表示内容は作業員に良く視認できる位置が好ましい。つまり、ポール２を固定する位置が常に最適な位置とは限らないので、旗部１の位置を固定した後に動かせれば、より作業性が向上する。そこで本実施形態では、ポール２の一部２ｃを屈曲自在な構成とするものである。これにより、旗部１の向きを作業員が見やすい角度に変更させることができる。
図１（ｄ）は、第４の実施形態に係る危険旗の取付状態を示す図であり、同じ構成要素には図１（ａ）と同じ参照番号を付して説明する。この危険旗５３は、図１（ｂ）と図１（ｃ）を組み合わせたものであり、ポール２の一部２ｃを屈曲自在な構成とし、旗部１を挾持するポール２ａとの境界にボールジョイント７を備えた。これにより、旗部１の向きと角度を最適に設定することができる。
【０００９】
図２は本発明に係る固定部材の構成を示す断面図である。ポール２の端部は、ポール２が抜けないように突起部２ａを有している。そして、固定部材３は、ポール２を回転自在に支持する筒状ナット３０と、ボルト６の余長部３４に螺合させるナット３２により構成され、筒状ナット３０はナット３２のネジ部３１と螺合させるネジが内側に構成されている。また、ナット３２は余長部３４と螺合させるネジ３３が内側に構成されている。
次に、ポール２を余長部３４に固定させる手順について説明する。予めポール２を筒状ナット３０の穴３０ａに挿通させておく。その状態で、筒状ナット３０をネジ部３１にねじ込む。この状態でポール２は固定部材３と一体となる。次に、ナット３２を余長部３４に螺合させる。これにより、ポール２は鉄塔に固定することができる。尚、ナット３２を予め余長部３４に螺合させてから、ポール２を挿通させた筒状ナット３０をナット３２に固定しても構わない。また、筒状ナット３０の締め具合により、ポール２を自在に回転させたり、回転を固定することができる。
【００１０】
図３は旗部の支持方法を説明する図である。図３（ａ）は、旗部の外観斜視図、図３（ｂ）は旗部をポールに挿入したときの側面図、図３（ｃ）はポールに旗部を挿入したときの前面から見た断面図である。本実施形態では、旗部１に旗部１の一端を狭持する棒状部材１０を有し、ポール９に棒状部材１０を挿抜可能とした溝部１１を備えた。また、図３では、ポール９の先端に棒状部材１０を固定するための固定部材８を備え、固定部材８はポール９の先端に構成されたネジ１２により固定される。即ち、旗部１に表示した内容は、作業員から見える方向のみ表示するのが原則である。従って、従来は、旗の表裏の向きが異なるように内容を表示した２種類の旗を用意していた。そこで本実施形態では、１種類の旗部１を用意し、その旗部１に一端を狭持する棒状部材１０を備え、その棒状部材１０を挿抜可能とした溝部１１をポール９に備える。これにより、１種類の旗を挿入方向を変えるだけで、旗の表示内容の向きを反転させることができる。
【００１１】
図４は旗部の他の支持方法を説明する図である。図４（ａ）は旗部を巻き取った場合の前面から見た断面図、図４（ｂ）は旗部を引き出した場合の前面から見た断面図である。ポール２０に旗部１を巻取り自在とした収納部２３を備え、ポール２０の中心に旗部１を巻き取る巻取り部２１を備えた。また、旗部１の先端には、旗部１が巻取り時に収納部２３の中に巻き取られないためのストッパ２２を取り付けるのが好ましい。尚、巻取り部２０は、ロールカーテンを巻き取る既製品を使用しても良い。即ち、従来から、作業が終了した後は、ポール２０を外して旗をポール２０に巻き取って収納していた。しかし、そのとき旗はむき出しのままであるので、汚れたり破損する虞がある。そこで本実施形態では、ポール２０に旗部１を巻取り自在とした収納部２３を備える。これにより、作業終了後に旗を汚したり、破損することを防止することができる。
【００１２】
図５は本発明の第５の実施形態に係る危険旗の取付状態を示す図であり、同じ構成要素には図１（ａ）と同じ参照番号を付して説明する。この危険旗５４は、送電線鉄塔３１を付勢力により挟持するバインダ（挟持手段）４０により構成する。即ち、作業内容によっては、旗を立設する場所にボルトがない場合もある。そのようなとき、ポール２をボルトがある場所まで移動して立設することも考えられるが、作業現場から離れていると、危険区域が明確に指示できないため、誤って危険区域に進入してしまう虞がある。そこで本実施形態では、固定部材を送電線鉄塔４１に付勢力により挟持するバインダ４０により構成する。これにより、ボルトが無い場所でも、旗を最適な場所に立設することができる。
【００１３】
図６は実際の作業現場（高圧送電線の鉄塔）に本発明の危険旗を立設した場合を説明する図である。図６は鉄塔の上から見た図であり、鉄塔２４には２回線の高圧線２３、２５が設置されている。そして、回線２５を停電させ、回線２３は活きている場合について説明する。作業員は鉄塔２４に登り、先ず、鉄塔２４のボルト余長部をさがす。この図では、Ａ点とＢ点に鉄塔に既に取り付けられたボルトがあり、そのボルトの余長部に固定部材により危険旗５３を取り付ける。このとき、回線２３は活きているので、矢印の方向に作業員が行かないようにするために、「危険」と表示された旗を矢印とは反対側に向けて立設する。即ち、危険旗５３の旗部は、旗部の何れかの面に危険内容を表示するように構成した。例えば、２回線のうち１回線を停電して作業を行なう場合、他の１回線は活きているので、作業員が近づかないように知らせる必要がある。そのとき、危険内容の表示が作業員から見える方向に向けておくことが重要である。また、作業員が危険側に移動した場合に、旗をみて即座に自分のいる位置が危険側か否かを判断できることが重要である。そこで本実施形態では、旗部の何れかの面に危険内容を表示するように構成した。これにより、旗の反対側（危険側）に作業員が移動したときに、旗を見て即座に危険側であることを認知することができる。
【図面の簡単な説明】
【００１４】
【図１】（ａ）〜（ｄ）は本発明に係る危険旗の取付構造を説明する図である。
【図２】本発明に係る固定部材の構成を示す断面図である。
【図３】（ａ）〜（ｃ）は旗部の支持方法を説明する図である。
【図４】（ａ）及び（ｂ）は旗部の他の支持方法を説明する図である。
【図５】本発明の第５の実施形態に係る危険旗の取付状態を示す図である。
【図６】実際の作業現場（高圧送電線の鉄塔）に本発明の危険旗を立設した場合を説明する図である。
【符号の説明】
【００１５】
１  旗部、２  ポール、３  固定ナット、４  ナット、５  送電線鉄塔、６  ボルト、７  ボールジョイント、８  固定部材、９  ポール、１０  棒状部材、１１  溝部、１２  ネジ、２０  ポール、２１  巻取り部、２２  ストッパ、２３  収納部、３０  筒状ナット、３１  ネジ部、３２  ナット、３３  ネジ、３４  余長部、４０  バインダ、４１  送電線鉄塔、５０〜５４  危険旗
【図１】
2010066696.tif 000003
【図２】
2010066696.tif 000004
【図３】
2010066696.tif 000005
【図４】
2010066696.tif 000006
【図５】
2010066696.tif 000007
【図６】
2010066696.tif 000008